(57)【要約】【課題】第一ケースと第二ケースを、互いの開口部を嵌め合わせてロック機構で組み付ける電気接続箱において、第一ケースと第二ケースの相互の組み付けとその解除をより容易に行なうことのできる、新規な構造の電気接続箱を提供すること。【解決手段】第一ケース１２の周壁２２に、弾性撓み変形可能なロック片３４を開口部１６よりも突出して設ける一方、第二ケース１４の周壁５４に、外面５８に開口して内側に窪むロック凹所５６を設け、ロック片３４をロック凹所５６に差し込んで、ロック片３４の外面３８に形成された係合突起４０をロック凹所５６において外面５８への開口に橋架された係合部７０と係合することで第一ケース１２と第二ケース１４を組み付ける一方、ロック片３４をロック凹所５６内で第一ケース１２の内側に撓み変形させることにより、係合突起４０と係合部７０との係合を解除可能とした。【選択図】図２
2015077060.tif 000002
【特許請求の範囲】
【請求項１】
第一ケースと第二ケースが、互いの開口部を嵌め合わせてロック機構で相互に組み付けられる電気接続箱において、
前記第一ケースの周壁には、前記開口部よりも前記第二ケース側に突出して、前記第一ケースの内側に弾性撓み変形可能な前記ロック機構を構成する複数のロック片が設けられていると共に、該ロック片の外面に係合突起が設けられている一方、
前記第二ケースの周壁には、外面に開口して該第二ケースの内側に窪まされ、前記第一ケース側の端部が該第一ケース側に開放された前記ロック機構を構成する複数のロック凹所が設けられていると共に、該ロック凹所における前記第一ケース側の端部には、前記外面への開口を塞ぐように橋架された係合部が設けられており、
前記第一ケースの前記ロック片が前記第二ケースの前記ロック凹所と前記係合部との間から前記ロック凹所内に差し込まれて、前記ロック片の前記係合突起が前記係合部と係合されることにより前記第一ケースと前記第二ケースが相互に組み付けられる一方、
前記ロック凹所内で前記ロック片が前記第一ケースの内側に撓み変形されることにより、前記係合突起と前記係合部との係合が解除可能とされている
ことを特徴とする電気接続箱。
【請求項２】
前記第一ケースの前記ロック片が、前記周壁の開口端面から突出されている
請求項１に記載の電気接続箱。
【請求項３】
前記第一ケースにおける前記ロック片を挟む両側に、前記ロック片の幅方向の外側に突出して、前記ロック片と共に前記ロック凹所に差し込まれるガイド部が形成されている
請求項１又は２に記載の電気接続箱。
【請求項４】
前記第一ケースにおける前記ロック片を挟む両側に、前記第一ケースの内側に突出して、前記ロック片と共に前記ロック凹所に差し込まれるスペーサ部が形成されている
請求項１〜３の何れか１項に記載の電気接続箱。
【請求項５】
前記第一ケースに設けられた全ての前記ロック片の突出先端縁部が、前記ロック凹所への差込方向で互いに等しく位置されている
請求項１〜４の何れか１項に記載の電気接続箱。
【請求項６】
前記第一ケースの前記周壁における前記開口部側の端部には、前記第一ケースの外側に拡開する段差部が形成されており、前記周壁における前記段差部よりも前記開口部側に前記ロック片が設けられていると共に、前記段差部には、排水孔が貫設されている
請求項１〜５の何れか１項に記載の電気接続箱。
【発明の詳細な説明】
【技術分野】
【０００１】
本発明は、自動車等に搭載される電気接続箱に係り、特に、第一ケースと第二ケースが、互いの開口部を嵌め合わせてロック機構で相互に組み付けられる電気接続箱に関するものである。
【背景技術】
【０００２】
従来から、自動車等において、ジャンクションボックスやリレーボックス等の電気接続箱が用いられている。例えば、特開２００８−９２７６６号公報（特許文献１）に記載のものが、それである。特許文献１に記載の電気接続箱は、第一ケースとしてのロアカバーと、第二ケースとしての本体ケースが、互いの開口部を嵌め合わせて相互に組み付けられる構造とされている。
【０００３】
ところで、電気接続箱のロアカバーと本体ケースのように、一方の第一ケースと、他方の第二ケースは、ロック機構を介して相互に組み付けられる。このようなロック機構として、従来から、特許文献１にも記載されているように、第一ケースの周壁の外面に突設された枠形状のロック枠が、第二ケースの周壁の外面に突設された係止突起と係合される構造のものが、広く採用されている。
【０００４】
ところが、特許文献１に記載の如き電気接続箱においては、第一ケースと第二ケースを組み付けるに際して、ロック機構をロックするよりも前に、予め互いの開口部を全周に亘って嵌め合わせなければならなかった。それ故、組み付けに手間を要する場合があった。
【０００５】
一方、第一ケースと第二ケースの組み付け状態において、ロック機構は、ロック枠と第一ケースの周壁との間で第二ケースの周壁を挟み込んで、ロック枠が第二ケースの周壁に外面から被さる形でロックされている。従って、ロックを解除する場合には、ロック枠を外側に広げる必要があるが、ロック枠と第二ケースの周壁との間に殆ど隙間が無いことから、ロック枠をこじ開けるために工具等が必要になる場合があり、解除にも手間が掛かるという問題があった。
【先行技術文献】
【特許文献】
【０００６】
【特許文献１】特開２００８−９２７６６号公報
【発明の概要】
【発明が解決しようとする課題】
【０００７】
本発明は、上述の事情を背景に為されたものであって、その解決課題は、第一ケースと第二ケースを、互いの開口部を嵌め合わせてロック機構で組み付ける電気接続箱において、第一ケースと第二ケースの相互の組み付けとその解除をより容易に行なうことのできる、新規な構造の電気接続箱を提供することにある。
【課題を解決するための手段】
【０００８】
本発明の第一の態様は、第一ケースと第二ケースが、互いの開口部を嵌め合わせてロック機構で相互に組み付けられる電気接続箱において、前記第一ケースの周壁には、前記開口部よりも前記第二ケース側に突出して、前記第一ケースの内側に弾性撓み変形可能な前記ロック機構を構成する複数のロック片が設けられていると共に、該ロック片の外面に係合突起が設けられている一方、前記第二ケースの周壁には、外面に開口して該第二ケースの内側に窪まされ、前記第一ケース側の端部が該第一ケース側に開放された前記ロック機構を構成する複数のロック凹所が設けられていると共に、該ロック凹所における前記第一ケース側の端部には、前記外面への開口を塞ぐように橋架された係合部が設けられており、前記第一ケースの前記ロック片が前記第二ケースの前記ロック凹所と前記係合部との間から前記ロック凹所内に差し込まれて、前記ロック片の前記係合突起が前記係合部と係合されることにより前記第一ケースと前記第二ケースが相互に組み付けられる一方、前記ロック凹所内で前記ロック片が前記第一ケースの内側に撓み変形されることにより、前記係合突起と前記係合部との係合が解除可能とされていることを、特徴とする。
【０００９】
本発明に従う構造とされた電気接続箱においては、第一ケースのロック片が、第一ケースの開口部よりも突出されている。これにより、第一ケースを第二ケースに組み付ける際には、互いの開口部を嵌合する前に、第一ケースのロック片が第二ケースのロック凹所と係合部の間に差し込まれる。その結果、互いの開口部を位置合わせすることができ、開口部の嵌合を容易に行なうことができる。即ち、予めロック機構で第一ケースと第二ケースの周上の複数箇所を位置合わせすることにより、互いの開口部を周方向で位置合わせすることができ、開口部の嵌合を容易に行なうことができる。特に、第一ケースのロック片を、第二ケースのロック凹所と係合部の間に形成された孔に差し込むことにより、第一ケースと第二ケースの位置決めを安定的に行なうことができる。
【００１０】
また、第一ケースのロック片は、外面に係合突起が設けられており、外側で第二ケースの係合部と係合される。そして、ロック凹所によって、ロック片の内側にクリアランスが確保されており、ロック片の内側への撓み変形が許容されている。これにより、ロック片を外側から内側に押し込むことで係合部との係合を解除することができ、工具等を要することなく、手でも容易にロックを解除することができる。
【００１１】
本発明の第二の態様は、前記第一の態様に記載のものにおいて、前記第一ケースの前記ロック片が、前記周壁の開口端面から突出されているものである。
【００１２】
本態様によれば、ロック片を周壁から連続して延び出させることによって、外面に突出される係合突起を除いて、ロック片の略全体を周壁から第一ケースの外側に張り出させることなく形成することができる。これにより、第一ケースの周壁上の凹凸を少なくすることができ、電線等の引っ掛かりのおそれを低減できると共に、電気接続箱の美観を向上することができる。特に、第二ケースには凹状のロック凹所が形成されており、ロック片がロック凹所内に配設されることにより、第二ケースにおいても外側への出っ張りを少なくすることができ、電気接続箱の表面の凹凸を少なくすることができる。
【００１３】
本発明の第三の態様は、前記第一又は第二の態様に記載のものにおいて、前記第一ケースにおける前記ロック片を挟む両側に、前記ロック片の幅方向の外側に突出して、前記ロック片と共に前記ロック凹所に差し込まれるガイド部が形成されているものである。
【００１４】
本態様によれば、ロック片の幅方向両側で、ロック凹所との間にガイド部が介在される。これにより、ロック片のロック凹所への差し込みや、ロック時や解除時の撓み変形に際して、ロック片のロック凹所との擦れを回避することができ、ロックおよびその解除を円滑に行なうことができる。なお、本態様において、より好適には、前記ガイド部に、前記ロック片と両側の前記ガイド部との全体で先細形状となるテーパ部が形成されている態様が採用され得る。このようにすれば、ロック片とガイド部を、ロック凹所と係合部の間により容易に差し込むことができる。
【００１５】
本発明の第四の態様は、前記第一〜第三の何れか１つの態様に記載のものにおいて、前記第一ケースにおける前記ロック片を挟む両側に、前記第一ケースの内側に突出して、前記ロック片と共に前記ロック凹所に差し込まれるスペーサ部が形成されているものである。
【００１６】
本態様によれば、スペーサ部がロック凹所に差し込まれることによって、ロック片の内側に、撓み変形のためのクリアランスを確実に形成することができ、ロック片の押し込みによるロックの解除をより確実に行なうことができる。
【００１７】
本発明の第五の態様は、前記第一〜第四の何れか１つの態様に記載のものにおいて、前記第一ケースに設けられた全ての前記ロック片の突出先端縁部が、前記ロック凹所への差込方向で互いに等しく位置されているものである。
【００１８】
本態様によれば、第一ケースの周上の各位置に設けられた全てのロック片が、第二ケースのロック凹所と係合部との間に同時に差し込まれる。これにより、第一ケースと第二ケースとの位置合わせをより容易に行なうことができる。
【００１９】
本発明の第六の態様は、前記第一〜第五の何れか１つの態様に記載のものにおいて、前記第一ケースの前記周壁における前記開口部側の端部には、前記第一ケースの外側に拡開する段差部が形成されており、前記周壁における前記段差部よりも前記開口部側に前記ロック片が設けられていると共に、前記段差部には、排水孔が貫設されているものである。
【００２０】
本態様においては、第一ケースの周壁に段差部を形成したことによって、ロック片の形成部位を外側に張り出させて、ロック片の内側への撓み変形のスペースを確保することができる。そして、段差部に排水孔を形成したことによって、第一ケース外側への張り出しスペースを有効に活用して、電気接続箱の防水性を向上することもできる。なお、本態様は、より好ましくは、前記第二の態様と組み合わせて用いられる。即ち、ロック片が突出される周壁の開口端面を外側に張り出させて形成することにより、ロック片の内側への撓み変形のスペースを確保しつつ、ロック片を第一ケースの外側に突出することなく形成することができる。
【発明の効果】
【００２１】
本発明においては、第一ケースに開口部よりも突出してロック片を設けると共に、第二ケースの周壁にロック片が差し込まれる凹状のロック凹所を形成し、ロック片を、ロック凹所に橋架された係合部と外面側で係合するようにした。これにより、第一ケースと第二ケースの開口部を嵌め合わせる前に、ロック片をロック凹所と係合部の間の孔に差し込むことにより、第一ケースと第二ケースを位置合わせすることができ、互いの開口部を容易に嵌合して組み付けを行なうことができる。そして、ロック片が外面で係合されて、ロック凹所内で内側に撓み変形可能とされることから、手でロック片を内側に押し込んで係合部との係合を解除することにより、工具等を要することなく、容易にロックを解除することができる。
【図面の簡単な説明】
【００２２】
【図１】本発明の一実施形態としての電気接続箱の分解斜視図。
【図２】図１に示した電気接続箱の斜視図。
【図３】ロアカバーの上面図。
【図４】ロアカバーの要部の側面図。
【図５】図３におけるＶ−Ｖ断面の要部拡大図。
【図６】本体ケースの要部の側面図。
【図７】本体ケースにおける図５に対応する断面の要部拡大図。
【図８】本体ケースとロアカバーの組付状態における、図５に対応する断面の要部拡大図。
【発明を実施するための形態】
【００２３】
以下、本発明の実施形態について、図面を参照しつつ説明する。
【００２４】
先ず、図１および図２に、本発明の一実施形態としての電気接続箱１０を示す。電気接続箱１０は、第一ケースとしてのロアカバー１２が、第二ケースとしての本体ケース１４に組み付けられる構造とされている。なお、以下の説明において、上側とは本体ケース１４側、下側とはロアカバー１２側を言うものとする。
【００２５】
図３に、ロアカバー１２を示す。ロアカバー１２は、本体ケース１４側に開口部１６を有する、有底の箱体形状とされている。ロアカバー１２の底壁１８は、一箇所に向けて窄むように下方に突出して形成されており、その最下端位置には、水抜孔２０が形成されている。
【００２６】
ロアカバー１２の周壁２２は、開口部１６側の端部において、ロアカバー１２の外側に拡開する段差部２４が略全周に亘って形成された段付形状とされている。そして、周壁２２において、段差部２４よりも開口部１６側で、ロアカバー１２の外側に張り出された外側周壁部２６には、複数（本実施形態においては、５つ）の差込突片２８が形成されている。これら差込突片２８は、互いに同様の形状とされている。
【００２７】
図４および図５に、差込突片２８を示す。差込突片２８は、外側周壁部２６の開口端面３０から本体ケース１４側に突出する突片形状とされている。差込突片２８には、開口端面３０からの突出先端縁部２９から開口端面３０側に向かって並列して延びる一対のスリット３２，３２が形成されており、これらスリット３２，３２で差込突片２８の先端部分が分割されることにより、スリット３２，３２の間にロック機構を構成するロック片３４が形成されていると共に、ロック片３４を挟む両側に、ガイド部３６，３６が形成されている。即ち、本実施形態のロック片３４とガイド部３６，３６は、基端部分において一体的に連結されることで一つの差込突片２８として形成されている。勿論、ロック片３４とガイド部３６，３６は、基端部で連結されることなく個別に形成されていても良い。差込突片２８が開口端面３０から突出されていることから、ロック片３４は、ロアカバー１２の開口部１６よりも本体ケース１４側に突出されている。そして、ロアカバー１２に設けられた全てのロック片３４の突出先端縁部２９が、後述するロック凹所５６への差込方向（図５中、下方から上方）で、互いに等しく位置されている。
【００２８】
ロック片３４は板形状とされており、その外面３８には、係合突起４０が形成されている。ロック片３４は、ロアカバー１２の内側（図５中、右側）に向けて弾性撓み変形可能とされている。一方、ガイド部３６，３６は、ロック片３４と隙間（本実施形態においては、スリット３２）を隔てて並列されることにより、ロック片３４の幅方向（図４中、左右方向）の外側に突出する板形状とされている。ガイド部３６，３６の先端部にはテーパ部４２，４２が形成されており、これにより、差込突片２８が先細形状とされて、後述するロック凹所５６への差し込みが容易とされている。なお、図３に示したように、差込突片２８が外側周壁部２６から連続して形成されていることにより、ロック片３４およびガイド部３６，３６は、外側周壁部２６から外側に突出することなく形成されており、ロック片３４の係合突起４０のみが外側周壁部２６の外側に突出されている。
【００２９】
また、ガイド部３６，３６の内面には、スペーサ部４４，４４が形成されている。スペーサ部４４，４４は、ガイド部３６，３６の内面からロアカバー１２の内側（図５中、右側）に突出して、ガイド部３６，３６の全長に亘って延びるリブ形状とされている。なお、スペーサ部４４，４４は、段差部２４から延び出されている。また、スペーサ部４４，４４の先端部には、先端縁部に行くに連れてガイド部３６，３６からの突出寸法が小さくなるテーパ部４６，４６が形成されており、差込突片２８の後述するロック凹所５６への差し込みが容易とされている。このようなスペーサ部４４，４４が、ガイド部３６，３６におけるスリット３２，３２側に形成されることにより、ロック片３４を挟む両側に、スペーサ部４４，４４が形成されている。
【００３０】
さらに、段差部２４には、排水孔４８が形成されている。排水孔４８は、段差部２４を貫通して形成されている。図５に示すように、排水孔４８は、段差部２４において、ロアカバー１２の外側に張り出された外側周壁部２６を支持するために周上の複数箇所に形成された梁部５０を除く段差部２４の略全長に亘って形成されている。これにより、排水孔４８は、梁部５０の形成箇所と、ロアカバー１２の角部において、電線取出口５２が形成されて段差部２４が断続された部分を除いて、可及的にロアカバー１２の全周に亘って形成されている。
【００３１】
一方、本体ケース１４は、図１および図２に示したように、上下両側に開口された、略長手矩形の箱体形状とされている。本体ケース１４の上側の開口部は、アッパカバーが組み付けられて覆蓋されるようになっている。
【００３２】
本体ケース１４の周壁５４には、ロック機構を構成するロック凹所５６が、ロアカバー１２のロック片３４と対応する周上の複数箇所（本実施形態においては、５箇所）に形成されている。図６および図７に示すように、ロック凹所５６は、周壁５４の外面５８に開口して本体ケース１４の内側に窪まされると共に、周壁５４の上下方向に延びる凹所形状とされている。ロック凹所５６は、中央部分が深くされた段付形状とされており、幅方向の両外側に、外面５８からの深さ寸法：Ｄ１を有する第一凹所６０，６０が形成されていると共に、第一凹所６０，６０で挟まれた中央部分に、第一凹所６０，６０よりも大きな深さ寸法：Ｄ２を有する第二凹所６２が形成されている。なお、第一凹所６０，６０の深さ寸法：Ｄ１が、ガイド部３６，３６の板厚寸法：Ｔ（図５参照）と略等しくされていると共に、第二凹所６２における第一凹所６０，６０からの深さの増加分：Ｄ２が、スペーサ部４４の高さ寸法：Ｈ（図５参照）と略等しくされている。
【００３３】
周壁５４の下端部は本体ケース１４の内側に窪む段付形状とされており、下側の開口部６６の外面である開口部外面６８が、ロック凹所５６の第二凹所６２の底面と同一平面とされている。これにより、ロック凹所５６の下端部は、ロアカバー１２側となる周壁５４の下方に開放されている。また、ロック凹所５６の下端部は、周壁５４の外面５８から突出して形成された係合部７０が橋架されて、係合部７０で覆われている。係合部７０は、略矩形の板形状をもってロック凹所５６を跨いで形成されている。係合部７０における外面５８との連結部７２はテーパ形状とされることにより、外面５８の凹凸が少なくされて、電線等の引っ掛かりが低減されている。これにより、ロック凹所５６の下端部は、ロック凹所５６の内壁と係合部７０で形成された通孔形状とされている。そして、ロック凹所５６は、係合部７０よりも上方の部分が、周壁５４の外面５８上に開放されている。
【００３４】
このような本体ケース１４にロアカバー１２を組み付ける際には、ロアカバー１２の各差込突片２８を、本体ケース１４の対応するロック凹所５６と係合部７０の間からロック凹所５６内に差し込む。これにより、図２および図８に示すように、ロック片３４とガイド部３６，３６およびスペーサ部４４，４４がロック凹所５６に差し込まれて収容されると共に、ロック片３４の係合突起４０が係止部７０を乗り越えて、係止部７０の上側で係止される。これにより、本体ケース１４とロアカバー１２が相互に組み付けられる。本体ケース１４とロアカバー１２の組付状態において、ロアカバー１２の開口部１６が、本体ケース１４の開口部６６に外嵌される。
【００３５】
本実施形態に従う構造とされた電気接続箱１０においては、ロアカバー１２のロック片３４が、ロアカバー１２の開口部１６よりも本体ケース１４側に突出されている。これにより、本体ケース１４の開口部６６とロアカバー１２の開口部１６を嵌め合わせる前に、ロック片３４を本体ケース１４のロック凹所５６と係合部７０の間に差し込むことによって、互いの開口部１６，６６を位置合わせして容易に嵌め合わせることができる。特に本実施形態においては、全てのロック片３４の突出先端縁部２９が、ロック凹所５６への差込方向で互いに等しく位置されていることから、全てのロック片３４を各ロック凹所５６に同じタイミングで差し込むことにより、ロアカバー１２と本体ケース１４との周方向の位置合わせを安定的に行なうことができる。
【００３６】
また、ロック片３４の両側に設けられたガイド部３６，３６が、ロック片３４と共にロック凹所５６に差し込まれることにより、ロック片３４とロック凹所５６との擦れを回避して、ロック片３４の差し込みを円滑に行なうことができる。更に、ロック凹所５６の第一凹所６０，６０にガイド部３６，３６が差し込まれると共に、第二凹所６２にスペーサ部４４，４４が差し込まれることにより、ロック凹所５６内でのロック片３４のガタつきを抑えて、安定的な差し込みを行なうことができる。
【００３７】
更にまた、ロック片３４がロアカバー１２の開口端面３０から突出されており、ロアカバー１２の外側に突出することなく形成されている。そして、ロック片３４がロック凹所５６に差し込まれることによって、本体ケース１４の外面５８と略同一平面に位置される。これにより、電気接続箱１０の表面の凹凸を少なくすることができ、電線等が引っ掛かるおそれを低減することができると共に、電気接続箱１０の美観を向上することができる。
【００３８】
そして、ロック片３４と係合部７０との係合を解除する場合には、図８に示すように、係合部７０の上方で、外面５８上に露呈されたロック片３４の上端部を押圧して、ロック凹所５６内でロアカバー１２の内側（図８中、右側）に撓み変形させる。これにより、ロック片３４の係合突起４０と係合部７０との係合を解除することができる。このように、本実施形態によれば、ロック片３４をロアカバー１２の内側に押し込むことでロックを解除することができ、特別な工具等を要することなく、容易にロックを解除することができる。特に、ロック片３４とロック凹所５６との間にガイド部３６，３６が介在されることから、ロック片３４のロック凹所５６との擦れが回避されて、ロック片３４の押し込みがより容易とされている。更に、スペーサ部４４，４４がロック凹所５６内に差し込まれることによって、ロック凹所５６内において、ロック片３４の押し込み方向（図８中、右方）のクリアランスが確実に確保されるようになっている。
【００３９】
また、ロック片３４は、ロアカバー１２の周壁２２において、段差部２４を介して外側に張り出された外側周壁部２６に形成されており、段差部２４には、排水孔４８が貫設されている。これにより、本体ケース１４とロアカバー１２の間に浸入した水を、排水孔４８を通じて電気接続箱１０の外部に排出することができる。即ち、段差部２４を形成することによって、ロック片３４の撓み代を確保しつつ、段差部２４を巧く利用して排水孔４８を形成したことによって、防水性の向上を図ることもできる。特に本実施形態においては、排水孔４８が、ロアカバー１２の略全周に亘って形成されていることから、より優れた防水性を確保することができる。
【００４０】
以上、本発明の実施形態について詳述したが、本発明はその具体的な記載によって限定されない。例えば、第一ケースと、その下方に組み付けられる第二ケースは、ロアカバーと本体ケースに限定されるものではなく、本体ケースの上方に組み付けられるアッパケースを第一ケース、アッパケースの下方に組み付けられる本体ケースを第二ケースとして本発明を適用すること等も可能である。
【００４１】
また、ロック片は、必ずしも第一ケースの周壁の開口端面から突出されるものに限定されず、例えば周壁の外面から開口部を越えて突出される等しても良い。また、ガイド部やスペーサ部は、必ずしも必要ではない。加えて、段差部についても、必ずしも必要ではない。
【符号の説明】
【００４２】
１０：電気接続箱、１２：ロアカバー（第一ケース）、１４：本体ケース（第二ケース）、１６：開口部（第一ケース）、２２：周壁（第一ケース）、２４：段差部、２９：突出先端縁部（ロック片）、３０：開口端面、３４：ロック片、３６：ガイド部、３８：外面（ロック片）、４０：係合突起、４４：スペーサ部、４８：排水孔、５４：周壁（第二ケース）、５６：ロック凹所、５８：外面（第二ケース）、６６：開口部（第二ケース）、７０：係合部
【図１】
2015077060.tif 000003
【図２】
2015077060.tif 000004
【図３】
2015077060.tif 000005
【図４】
2015077060.tif 000006
【図５】
2015077060.tif 000007
【図６】
2015077060.tif 000008
【図７】
2015077060.tif 000009
【図８】
2015077060.tif 000010